(57)【特許請求の範囲】
【請求項１】
主管体部（２）と、エルボ部（４）と、そのエルボ部（４）の両端に隣接するエルボ隣接管体部（６）とを有する内燃機関用ウォーターダクトにおいて、前記主管体部（２）は先端にホース差込部を有してサーモスタット格納室（１２）に接続され、そのサーモスタット格納室（１２）の下部には溝部（１２ａ）が形成されており、その溝部（１２ａ）の下部には垂直のエルボ隣接管体（６Ａ）、第１のエルボ部（４Ａ）、および水平のエルボ隣接管体（６Ｂ）が形成され、さらにその水平のエルボ隣接管体部（６Ｂ）には端部にフランジ（４Ｂｆ）を設けた第２のエルボ部（４Ｂ）が形成され、これらを連通したウォーターダクトの集合体でサーモハウジング（ＴＨ）が構成されており、前記エルボ隣接管体部（６）を含むエルボ部（４）には、近接するウォータポンププーリ（ＷＰＰ）との干渉を避けるために管中心へ向かって凹状の窪み（８）が形成され、そして前記エルボ部（４）の断面積と、前記エルボ隣接管体部（６）の断面積とが前記主管体部（２）の断面積よりも大きい断面積で形成されていることを特徴とする内燃機関用ウォーターダクトの構造。
【発明の詳細な説明】
【０００１】
【発明の属する技術分野】
本発明は、管路中にエルボ部を有する内燃機関用ウォーターダクトの構造に関する。
【０００２】
【従来の技術】
車載用内燃機関のウォーターダクトは、例えば、ウォータポンププーリとウォータアウトレットチューブ等他の補機間の隙間を縫う様にして配置されていることが多く、更に仕様の変更により、ウォータポンププーリの直径が拡大してウォーターダクトの配置が困難となる場合がある。
【０００３】
一方、ウォーターダクトは上記のような侠猥スペースに合わせて形状が決められるので、管路中にはエルボや、近接部品の干渉を避けるための扁平断面部を設ける場合がある。そして、最も厳しい条件として、曲率半径が小さなエルボ部を扁平に潰さなくては（形成しなくては）ならない場合も生じる。
【０００４】
上記のように、小さな曲率のエルボ部の流路が扁平断面となる場合には管内を流過する水の抵抗が大きくなり、更にはキャビテーションの原因ともなりかねない。
【０００５】
【発明が解決しようとする課題】
本発明は、上述した従来技術の問題点に鑑みて提案されたものであり、近接部品の接近に対応出来、ダクト断面積の変化率を小さくするとともに、ダクト内の流れの乱れを抑制するウォーターダクトの構造の提供を目的としている。
【０００６】
【課題を解決するための手段】
本発明のウォーターダクトの構造は、主管体部と、エルボ部と、そのエルボ部の両端に隣接するエルボ隣接管体部とを有する内燃機関用ウォーターダクトにおいて、前記主管体部は先端にホース差込部を有してサーモスタット格納室に接続され、そのサーモスタット格納室の下部には溝部が形成されており、その溝部の下部には垂直のエルボ隣接管体部、第１のエルボ部、および水平のエルボ隣接管体部が形成され、さらにその水平のエルボ隣接管体部には端部にフランジを設けた第２のエルボ部が形成され、これらを連通したウォーターダクトの集合体でサーモハウジングが構成されており、前記エルボ隣接管体部を含むエルボ部には、近接するウォータポンププーリとの干渉を避けるために管中心へ向かって凹状の窪みが形成され、そして前記エルボ部の断面積と、前記エルボ隣接管体部の断面積とが前記主管体部の断面積よりも大きい断面積で形成されている。
【０００８】
係る構造を具備する本発明のウォーターダクトの構造によれば、エルボ隣接管体部を含むエルボ部に、近接部品からの干渉を避けるため、管中心に向かって凹状の窪みを形成したことにより近接部品の接近に対応出来る。
【０００９】
また、エルボ部の断面積と、エルボ隣接管体部の断面積とは、主管体部の断面積よりも大きく形成されているので、凹状の窪みを形成してあってもダクト断面積の変化率（断面減少率）は小さく、ダクト内の流れの乱れを抑制することが出来る。
【００１０】
更に、上記の形成手法によれば、例えば、既存のエンジンにおいて、近接部品の大型化や、配置の変更があっても、従来のウォーターダクトを小変更するだけで対応出来、変更に要する費用を最小限に押さえることが出来る。
【００１１】
【発明の実施の形態】
以下、添付図面を参照して、本発明の一実施形態について説明する。
【００１２】
図１は、エンジンにおいてウォーターダクトの集合体であるサーモハウジングＴＨとウォータポンププーリＷＰＰを含む部分構成を示す斜視図である。
【００１３】
サーモハウジングＴＨは後述（図２等参照）のサーモスタット格納室と主管体部２と、第１のエルボ部４Ａと、端部にフランジ４Ｂｆを設けた第２のエルボ部４Ｂと、第１のエルボ部４Ａの両端に隣接するエルボ隣接管体部６とを有するウォーターダクト集合体１０を形成している。
【００１４】
尚、図１中符号Ａで示すエリアは、前記ウォータポンププーリＷＰＰがサーモハウジングＴＨの第１のエルボ部４Ａに接近しているために、第１のエルボ部４Ａに管断面中央に向かって凹状の窪み部８を設けて（ハッチングで示している）ウォータポンププーリＷＰＰ及びウォータポンププーリＷＰＰに係合した図示しない駆動用ベルトが支障無く回転できるための隙間が確保された事を認識させるためのものである。
【００１５】
ウォーターダクト集合体としての構造を有する本実施形態のサーモハウジングに関して、図２〜図５に基づいて詳述する。
【００１６】
図２において、全体を符号ＴＨで示すサーモハウジングは、中央上部に図示しないサーモスタットを２個格納するためのサーモスタット格納室１２が形成されている。
【００１７】
該サーモスタット格納室１２の上方、即ちサーモハウジングＴＨの上面は図示しないウォータアウトレットとの接合面１４となっている。
【００１８】
図３をも参照して、前記接合面１４には前記図示しないサーモスタットを格納保持するための段付き穴１４ａ、１４ａが２個設けてある。そして前記サーモスタット格納室１２の上下厚み方向の中央で且前記段付き穴１４ａ、１４ａの中心を結ぶ線の延長上に管の中心が存在する主管体部２が形成されている。
【００１９】
前記主管体部２の端部は、例えば、図示しないラジエータとの接続用ホースを接続するためのホース差込部２ａを形成している。
【００２０】
図２に注目して、前記サーモスタット格納室１２の下部には図示しないサーモスタットを格納保持した時の逃げ用溝部１２ａが設けてある。
【００２１】
該逃げ用溝部１２ａの下部で図面右側のサーモスタットを格納保持するための段付き穴１４ａの中心線の延長上にはエルボの円形流路断面の半径ｒに略等しいエルボ内壁の曲率半径Ｒを有するエルボ部４Ａの前記曲率半径Ｒの中心点４Ａｃが存在する。
【００２２】
エルボ部４Ａに隣接する図示における垂直のエルボ隣接管体部６Ａは前記段付き穴１４ａの中心に向かって前記逃げ用溝部１２ａと直交するように連通している。
【００２３】
一方、エルボ部４Ａに隣接する図示における水平のエルボ隣接管体部６Ｂはエルボ部４Ａに対向する端部で第２のエルボ部４Ｂと接続されており、該第２のエルボ部４Ｂの垂直下向に開放穴を有するフランジ４Ｂｆが形成されている。
【００２４】
そして、前記第１のエルボ部４Ａと水平のエルボ隣接管体部６Ｂの一部には図２のＸ−Ｘ断面の断面である図５に詳細断面形状が示される凹状の窪み８が形成されている。
【００２５】
該凹状の窪み８は図５に示すように、水平の棚部８ｈと、垂直の棚部８ｖとは、図示では流路断面の直径Ｄの略３０％程度の半径ｒを有する曲線で結ばれており、更に凹状の窪み８を形成する面と、エルボの窪み８を形成する以前の基本内壁面（円形断面）との交線部が図示では半径５ｍｍの曲線で結ばれた曲面を成している。
【００２６】
尚、図２及び図４において２点鎖線は近接部品であるウォータポンププーリＷＰＰの外形形状を示す。
【００２７】
かかる構造を具備する図１〜図５に示す実施形態のウォーターダクトの構造によれば、エルボ隣接管体部６Ａ、６Ｂを含む第１のエルボ部４（４Ａ）に、ウォータポンププーリＷＰＰからの干渉を避けるための管中心に向かって凹状の窪み８を形成したことにより、ウォータポンププーリＷＰＰ及びウォータポンププーリＷＰＰに係合する図示しない駆動用ベルトの接近に対応（隙間を確保）出来る。
【００２８】
また、第１のエルボ部４Ａの断面積と、エルボ隣接管体部６Ａ、６Ｂの断面積とは、主管体部２の断面積よりも大きく形成されており、凹状の窪み８を形成してあってもダクト断面積の変化率、即ち断面減少率は小さく、扁平断面で急な曲率のエルボとすることと比較して、ダクト内の流れの乱れを抑制することが出来る。
【００２９】
更に、上記の形成手法によれば、例えば、既存のエンジンにおいて、近接部品の大型化や、配置の変更があっても、従来のウォーターダクトを小変更するだけで対応出来、変更に要する費用を最小限に押さえることが出来る。
【００３０】
【発明の効果】
本発明の作用効果を以下に列挙する。
（１）  エルボ隣接管体部を含むエルボ部に、近接部品からの干渉を避けるための管中心に向かって凹状の窪みを形成したことにより近接部品の接近に対応出来る。
（２）  エルボ部の断面積と、エルボ隣接管体部の断面積とは、主管体部の断面積よりも大きく形成されているので、凹状の窪みを形成してあってもダクト断面積の減少率は小さく、ダクト内の流れの乱れを抑制することが出来る。
（３）  既存のエンジンにおいて、近接部品の大型化や、配置の変更があっても、従来のウォーターダクトを小変更するだけで対応出来、変更に要する費用を最小限に押さえることが出来る。
【図面の簡単な説明】
【図１】本発明の実施形態に係るウォーターダクトの集合体であるサーモハウジングとウォータポンププーリを含むエンジンの部分構成を示す斜視図。
【図２】本発明の実施形態であるサーモハウジングの正面図。
【図３】図２に対する平面図。
【図４】図２に対する左側面図。
【図５】図２のＸ-Ｘ断面図。
【符号の説明】
２・・・主管体部
４、４Ａ・・・エルボ部
４Ｂｆ・・・フランジ
６・・・エルボ隣接管体部
８・・・凹状の窪み
１０・・・ウォーターダクト
ＷＰＰ・・・ウォータポンププーリ
ＴＨ・・・サーモハウジング
【図１】
0003995143.tif 000002
【図２】
0003995143.tif 000003
【図３】
0003995143.tif 000004
【図４】
0003995143.tif 000005
【図５】
0003995143.tif 000006